(57)【要約】【課題】  着信者の使用状況に応じた適切な着信制御を実現する。【解決手段】  発信者側端末２０から要求された着信者側端末３０への接続を制御する交換機装置１０であって、通常着信を拒否する着信者側端末３０を特定する一又は二以上の非呼番号を記憶する記憶手段１４−２と、発信者側端末２０からの接続要求に応じて、この接続要求のあった呼番号が記憶手段１４−２に記憶されている一又は二以上の非呼番号に含まれるか否かを判断する呼番号判断手段１４−３と、呼番号が非呼番号に含まれると判断された場合に、発信者側端末２０に所定の指示情報を通知する通知手段１４−４と、通知された所定の指示情報に応じて発信者側端末２０により指定された優先度選択に基づいて、発信者側端末２０と着信者側端末３０との接続を制御する接続制御手段１４−５とを備えた。【選択図】  図１
2005269119.tif 000002
【特許請求の範囲】
【請求項１】
発信者側端末から要求された着信者側端末への接続を制御する交換機装置であって、
通常着信を拒否する着信者側端末を特定する一又は二以上の非呼番号を記憶する記憶手段と、
前記発信者側端末からの接続要求に応じて、この接続要求のあった呼番号が前記記憶手段に記憶されている一又は二以上の非呼番号に含まれるか否かを判断する呼番号判断手段と、
前記呼番号が前記非呼番号に含まれると判断された場合に、前記発信者側端末に所定の指示情報を通知する通知手段と、
通知された前記所定の指示情報に応じて前記発信者側端末により指定された優先度選択に基づいて、前記発信者側端末と前記着信者側端末との接続を制御する接続制御手段とを備えた
ことを特徴とする交換機装置。
【請求項２】
請求項１に記載の交換機装置において、
前記記憶手段は、各前記非呼番号により特定される着信者側端末への着信拒否を発信者側端末ごとに指定する一又は二以上の発信者側番号を前記非呼番号に対応させて記憶し、
前記呼番号判断手段は、前記接続要求のあった呼番号が前記記憶手段に記憶されている一又は二以上の非呼番号に含まれると判断した場合に、この非呼番号に対応する前記一又は二以上の発信者側番号に前記接続要求のあった発信者側端末の発信者側番号が含まれるか否かをさらに判断し、
前記通知手段は、前記非呼番号に対応する一又は二以上の発信者側番号に前記接続要求のあった発信者側端末の発信者側番号が含まれると前記呼番号判断手段により判断された場合に、前記発信者側端末に所定の指示情報を通知する
ことを特徴とする交換機装置。
【請求項３】
請求項１又は２に記載の交換機装置において、
前記記憶手段は、各前記一又は二以上の非呼番号ごとに対応させてその非呼番号に関するサービスの開始又は停止を設定した開始／停止情報を記憶し、
前記呼番号判断手段は、前記接続要求のあった呼番号が前記記憶手段に記憶されている一又は二以上の非呼番号に含まれると判断した場合に、この非呼番号に対応する前記開始／停止情報がサービス開始状態であるか否かを判断し、
前記通知手段は、前記非呼番号に対応する前記開始／停止情報がサービス開始状態であると前記呼番号判断手段により判断された場合に、前記発信者側端末に所定の指示情報を通知する
ことを特徴とする交換機装置。
【請求項４】
請求項１〜３のいずれか一項に記載の交換機装置において、
前記着信者側端末からの所定操作に応じて、前記記憶手段に記憶されているデータの登録／削除、及び／又は、設定変更を行うデータ設定手段を備えた
ことを特徴とする交換機装置。
【請求項５】
請求項１〜４のいずれか一項に記載の交換機装置において、
前記発信者側端末により選択可能な優先度が緊急レベルと、この緊急レベル以外の非緊急レベルとからなる場合に、
前記接続制御手段は、前記緊急レベルの優先度が選択された場合のみ前記発信者側端末と前記着信者側端末とを接続する
ことを特徴とする交換機装置。
【請求項６】
請求項５に記載の交換機装置において、
前記接続制御手段は、前記非緊急レベルが選択された場合に前記発信者側端末からの着信を所定の転送先へ転送する
ことを特徴とする交換機装置。
【請求項７】
請求項５に記載の交換機装置において、
前記発信者側端末と接続されたときに発信者側端末からの用件を記録可能な録音手段を備え、
前記接続制御手段は、前記非緊急レベルが選択された場合に前記発信者側端末からの着信を前記録音手段へ接続する
ことを特徴とする交換機装置。
【発明の詳細な説明】
【技術分野】
【０００１】
本発明は、例えば、携帯電話等の着信制御を行う交換機装置に関し、より詳しくは、優先度選択に応じて着信可否を制御する交換機装置に関する。
【背景技術】
【０００２】
従来、重要な会議や講義，公演受講中など、電話に出ることが好ましくない状況である場合には、例えば、その電話が携帯電話やＰＨＳなどの移動式携帯端末装置であれば電源をオフにすることにより、すべての着信に対して応答しないといった方法をとっていた。
しかし、上記のような方法では、発信者側の緊急度等に関係なくすべての着信を拒否してしまうため、緊急の連絡や個別に応答したい着信に対応することができなかった。
【０００３】
このような従来の問題を解決する他の方法として、企業などで内線電話同士の接続を行ったり、加入者電話網やＩＳＤＮ回線などの公衆回線への接続を行う交換機装置において、着信を許可する発信者側の電話番号を予め記憶させておき、着信があった場合に交換機装置に記憶されている電話番号と、発信者側端末から通知された電話番号とを比較することにより、着信者側端末への接続の可否を制御していた（例えば、特許文献１参照。）。
以上のような従来の交換機装置によれば、交換機装置において着信を許可する発信者側端末の電話番号の登録，変更により、利用者の必要とする着信のみに応答させることができる。
【特許文献１】特開平１０−０９３７０５号公報（第２−３頁、第１図）
【発明の開示】
【発明が解決しようとする課題】
【０００４】
しかしながら、上述したような従来の交換機装置によれば、着信者側端末への着信の可否は、記憶手段へ予め登録された発信者側端末の電話番号の有無により決定していたため、その発信者側端末装置が着信許可対象とされていなかった場合には、その発信者側端末からは、たとえ緊急の連絡であっても着信者側端末には接続されることがないといった問題があった。
【０００５】
本発明は、以上のような問題を解決するためになされたものであり、発信者側端末に対して音声案内等の指示情報を通知し、これに応じて発信者側端末により選択指定に基づいて着信者側端末への接続の可否を制御することにより、着信者の使用状況に応じた適切な着信制御を実現する交換機装置の提供を目的とする。
【課題を解決するための手段】
【０００６】
上記目的を達成するため、本発明の交換機装置は、発信者側端末から要求された着信者側端末への接続を制御する交換機装置であって、通常着信を拒否する着信者側端末を特定する一又は二以上の非呼番号を記憶する記憶手段と、発信者側端末からの接続要求に応じて、この接続要求のあった呼番号が記憶手段に記憶されている一又は二以上の非呼番号に含まれるか否かを判断する呼番号判断手段と、呼番号が非呼番号に含まれると判断された場合に、発信者側端末に所定の指示情報を通知する通知手段と、通知された所定の指示情報に応じて発信者側端末により指定された優先度選択に基づいて、発信者側端末と着信者側端末との接続を制御する接続制御手段とを備えた構成としてある。
【０００７】
交換機装置をこのような構成にすれば、記憶手段には通常着信を拒否する着信者側端末を特定する一又は二以上の非呼番号が記憶されているので、発信者側端末からの接続要求があると、呼番号判断手段は接続要求のあった呼番号が記憶手段に記憶されている一又は二以上の非呼番号に含まれるか否かを判断することができる。そして、通知手段は、呼番号が非呼番号に含まれると判断された場合は、発信者側端末に所定の指示情報を通知するため、接続制御手段はその所定の指示情報に応じて発信者側端末により指定された優先度選択に基づいて、発信者側端末と着信者側端末との接続を制御することができる。
例えば、発信者側端末により選択された優先度が緊急レベルであれば、着信者側端末への接続を行い、優先度が緊急レベル以外であれば着信拒否するというように発信者側端末において優先度選択を行わせることにより、着信者側端末への着信を必要最低限に抑えることができる。
【０００８】
このため、従来の交換機装置では、着信者側端末への着信の可否は予め登録された発信者側端末の電話番号であるか否かにより決定していたため、その発信者側端末装置が着信許可対象とされていなければ、たとえ緊急連絡の場合であっても着信者側端末に接続されることがなかったが、本発明によればこのような事態を解消することができ、本当に緊急の連絡については着信させ、他の不必要な着信は排除することができ、着信者の使用状況に応じた適切な着信を提供することができる。
【０００９】
また、本発明の交換機装置は、記憶手段は、各非呼番号により特定される着信者側端末への着信拒否を発信者側端末ごとに指定する一又は二以上の発信者側番号を非呼番号に対応させて記憶し、呼番号判断手段は、接続要求のあった呼番号が記憶手段に記憶されている一又は二以上の非呼番号に含まれると判断した場合に、この非呼番号に対応する一又は二以上の発信者側番号に接続要求のあった発信者側端末の発信者側番号が含まれるか否かをさらに判断し、通知手段は、非呼番号に対応する一又は二以上の発信者側番号に接続要求のあった発信者側端末の発信者側番号が含まれると呼番号判断手段により判断された場合に、発信者側端末に所定の指示情報を通知する構成としてある。
【００１０】
交換機装置をこのような構成にすれば、記憶手段が、着信者側端末への着信拒否を発信者側端末ごとに指定する一又は二以上の発信者側番号を非呼番号に対応させて記憶し、呼番号判断手段が、接続要求のあった呼番号が一又は二以上の非呼番号に含まれる場合に、この非呼番号に対応する一又は二以上の発信者側番号に接続要求のあった発信者側端末の発信者側番号が含まれるか否かを判断する。このため、個々の発信者側端末ごとに、優先度選択による発信者側端末と着信者側端末との接続制御を行うか否かを使い分けることができる。
【００１１】
また、本発明の交換機装置は、記憶手段は、各一又は二以上の非呼番号ごとに対応させてその非呼番号に関するサービスの開始又は停止を設定した開始／停止情報を記憶し、呼番号判断手段は、接続要求のあった呼番号が記憶手段に記憶されている一又は二以上の非呼番号に含まれると判断した場合に、この非呼番号に対応する開始／停止情報がサービス開始状態であるか否かを判断し、通知手段は、非呼番号に対応する開始／停止情報がサービス開始状態であると呼番号判断手段により判断された場合に、発信者側端末に所定の指示情報を通知する構成としてある。
【００１２】
交換機装置をこのような構成にすれば、各一又は二以上の非呼番号ごとに対応させてその非呼番号に関するサービスの開始又は停止を設定した開始／停止情報を記憶させたことにより、非呼番号により特定される着信者側端末の着信拒否状態の切り替えを開始／停止情報の設定によって簡易に行うことができる。
このため、記憶手段に一旦登録された発信者側番号等の設定情報をリセットすることなく設定状態を切り替えることができ、また、再度設定を元の状態に戻したい場合などには開始／停止情報の切り替えのみによって復帰させることができるため利便性をさらに向上させることができる。
【００１３】
また、本発明の交換機装置は、着信者側端末からの所定操作に応じて、記憶手段に記憶されているデータの登録／削除、及び／又は、設定変更を行うデータ設定手段を備えた構成としてある。
【００１４】
交換機装置をこのような構成にすれば、データ設定手段が、発信者側端末からの所定操作に応じて、記憶手段に記憶されているデータの登録／削除、及び／又は、設定変更を行う。したがって、発信者側端末さえあれば、例えば所定の番号を入力し発信させるだけで記憶手段内のデータ更新等を行うことができ、ユーザにとっては、柔軟、且つ、迅速にサービスを利用することができる。
【００１５】
また、本発明の交換機装置は、発信者側端末により選択可能な優先度が緊急レベルと、この緊急レベル以外の非緊急レベルとからなる場合に、接続制御手段は、緊急レベルの優先度が選択された場合のみ発信者側端末と着信者側端末とを接続する構成としてある。
【００１６】
交換機装置をこのような構成にすれば、発信者側端末により選択可能な優先度が緊急レベルと、この緊急レベル以外の非緊急レベルとからなる場合に、接続制御手段は、緊急レベルの優先度が選択された場合のみ発信者側端末と着信者側端末とを接続するので、本当に緊急レベルの高い、重要な連絡のみを着信者側端末に接続させることができる。
【００１７】
また、本発明の交換機装置は、接続制御手段は、非緊急レベルが選択された場合に発信者側端末からの着信を所定の転送先へ転送する構成としてある。
【００１８】
交換機装置をこのような構成にすれば、たとえ緊急レベルが低いものであっても、転送先で着信に対応することができるため、着信を拒否してしまうことにより情報が受け取れないといった事態を解消することができる。
【００１９】
また、本発明の交換機装置は、発信者側端末と接続されたときに発信者側端末からの用件を記録可能な録音手段を備え、接続制御手段は、非緊急レベルが選択された場合に発信者側端末からの着信を録音手段へ接続する構成としてある。
【００２０】
交換機装置をこのような構成にすれば、たとえ緊急レベルが低いものであっても、録音手段に発信者側端末からの情報を記録させることができるため、ユーザは後にその録音手段に記録された情報を確認することができるため、着信を拒否してしまうことにより情報が受け取れないといった事態を解消することができる。
【発明の効果】
【００２１】
本発明によれば、発信者側端末に対して音声案内等の指示情報を通知し、これに応じて発信者側端末により選択された指定に基づいて着信者側端末への接続の可否を制御することができるため、本当に緊急の連絡のみを着信させ、他の不必要な着信を排除することができ、着信者にとっての利便性を向上させることができる。
【発明を実施するための最良の形態】
【００２２】
以下、本発明の実施形態について図面を参照して説明する。
［第一実施形態］
本発明の第一実施形態に係る交換機装置について、図１を参照して説明する。
図１は、本発明の第一実施形態に係る交換機装置の全体構成図である。
図１に示すように、交換機装置１０は、例えば、携帯電話等の着信制御を行う交換機装置であって、発信者側端末２０及び着信者側端末３０を収容接続し、トランク回路部１１と、スイッチ部１２と、ライン回路部１３と、制御手段１４とを有する。
【００２３】
トランク回路部１１は、公衆回線網１００と交換機装置１０とを接続するためのインターフェースであり、公衆回線網１００を介して発信者側端末２０からの発信者側番号情報及び呼番号情報を含む接続要求を受け、この接続要求を制御手段１４内の後述する呼番号判断部１４−３へ出力する。
スイッチ部１２は、トランク回路部１１と接続され、接続要求より読み出した発信者番号に応じてライン回路部１３間でスイッチングを行う。
ライン回路部１３は、着信者側端末３０と交換機装置１０とを接続するためのインターフェースである。
【００２４】
制御手段１４は、交換機装置の機能を統括制御する装置であり、ＣＰＵ及びメモリにより構成され、データ設定部１４−１、非呼番号メモリ部１４−２、呼番号判断部１４−３、通知部１４−４、接続制御部１４−５を有している。
データ設定部（データ設定手段）１４−１は、着信者側端末３０からの所定操作に応じて、非呼番号メモリ部１４−２に記憶されているデータの登録／削除、及び／又は、設定変更を行う。
【００２５】
非呼番号メモリ部（記憶手段）１４−２は、通常着信を拒否する着信者側端末３０を特定する一又は二以上の非呼番号を記憶する。
図２は、本第一実施形態の交換機装置の非呼番号メモリ部１４−２に記憶されたデータ例を示したものである。
図２の例によれば、非呼番号メモリ部１４−２には、着信を拒否させる着信者側端末３０として非呼番号１〜非呼番号１０が登録されている。
なお、この非呼番号メモリ部１４−２に記憶されている一又は二以上の非呼番号は、前述したように、データ設定部１４−１により着信者側端末３０からの所定操作に応じて登録又は削除が可能とされている。
【００２６】
呼番号判断部（呼番号判断手段）１４−３は、発信者側端末２０からの接続要求に応じて、この接続要求のあった呼番号が非呼番号メモリ部１４−２に記憶されている非呼番号１〜非呼番号１０（一又は二以上の非呼番号）に含まれるか否かを判断する。
通知部（通知手段）１４−４は、呼番号判断部１４−３により接続要求のあった呼番号が非呼番号メモリ部１４−２に記憶されている非呼番号１〜非呼番号１０に含まれると判断された場合には、発信者側端末２０に音声案内装置（図示せず）により、例えば、「ただ今、電話に出ることが難しい状況です。緊急の場合のみおつなぎいたします。緊急の場合は数字の「１」を、そうでない場合には数字の「２」を押して下さい。」との音声案内（所定の指示情報）を通知する。すなわち、通知部１４−４は、接続制御部１４−５によってスイッチ部１２を制御させて発信者側端末２０への接続経路を確立させ、音声案内を通知している。
【００２７】
接続制御部（接続制御手段）１４−５は、通知部１４−４により通知された音声案内に応じて発信者側端末２０により指定入力された数字「１」又は「２」による優先度選択に基づいて、発信者側端末２０と着信者側端末３０との接続を制御する。すなわち、接続制御部１４−５は、発信者側端末２０により選択された数字が「１」（緊急レベル）である場合には、発信者側端末２０と着信者側端末３０とを接続する一方、発信者側端末２０により選択された数字が「２」（緊急レベル以外の非緊急レベル）である場合には、着信者により設定された無応答時の所定の接続動作を行う。例えば、接続制御部１４−５は、予め設定された着信転送先や録音手段（図示せず）へ、発信者側端末２０からの着信を転送する。
なお、この録音手段は、発信者側端末２０と接続されたときに発信者側端末２０からの用件を記録可能な装置である。
【００２８】
次に、本第一実施形態に係る交換機装置の動作について、図３を参照しながら説明する。
図３は、本第一実施形態に係る交換機装置の動作を示したフローチャートである。
非呼番号メモリ部１４−２は、着信者側端末３０からの所定操作に応じて、データ設定部１４−１により設定された非呼番号を記憶する（ステップＳ３０１（記憶ステップ））。
呼番号判断部１４−３は、トランク回路部１１により出力された、発信者側端末２０からの接続要求から呼番号を読み取る（ステップＳ３０２）。
次いで、呼番号判断部１４−３は、読み取った呼番号が非呼番号メモリ部１４−２に記憶されている非呼番号に含まれるか否かを判断する（ステップＳ３０３（呼番号判断ステップ））。
【００２９】
ステップＳ３０３にて、呼番号が非呼番号メモリ部１４−２に記憶されている非呼番号に含まれると判断した場合には、通知部１４−４は、発信者側端末２０に音声案内装置（図示せず）により音声案内（所定の指示情報）を通知する（ステップＳ３０４（通知ステップ））。
そして、接続制御部１４−５は、ステップＳ３０４の通知に応じて発信者側端末２０から指定された優先度選択が緊急度レベルであるか否かを判断する（ステップＳ３０５（接続制御ステップ））。
【００３０】
ステップＳ３０５の判断の結果、優先度選択が緊急レベルであれば、接続制御部１４−５は、発信者側端末２０からの着信を着信者側端末３０へ接続する（ステップＳ３０６）。一方、優先度選択が非緊急レベルであれば、接続制御部１４−５は、発信者側端末２０からの着信を所定の無応答時の接続動作により、例えば、着信拒否，着信転送，用件録音等を行う（ステップＳ３０７）。
【００３１】
また、ステップＳ３０３にて、呼番号が非呼番号メモリ部１４−２に記憶されている非呼番号に含まれないと判断した場合には、接続制御部１４−５は、通常着信と同様に発信者側端末２０を着信者側端末３０へ接続するようにスイッチ部１２を制御する（ステップＳ３０８）。
【００３２】
以上のように、本第一実施形態に係る交換機装置によれば、非呼番号メモリ部１４−２には通常着信を拒否する着信者側端末３０を特定する一又は二以上の非呼番号が記憶されているので、発信者側端末２０からの接続要求があると、呼番号判断部１４−３は接続要求のあった呼番号が非呼番号メモリ部１４−２に記憶されている一又は二以上の非呼番号に含まれるか否かを判断することができ、通知部１４−４は、呼番号が非呼番号に含まれると判断された場合に、発信者側端末２０に音声案内を通知するため、接続制御部１４−５はその音声案内の指示情報に応じて発信者側端末２０により指定された優先度選択に基づいて、発信者側端末２０と着信者側端末３０との接続を制御することができる。
【００３３】
例えば、発信者側端末２０により選択された優先度が緊急レベルであれば、着信者側端末３０への接続を行い、優先度が緊急レベル以外の非緊急レベルであれば着信拒否するというように発信者側端末において優先度選択を行わせることにより、着信者側端末３０への着信を必要最低限に抑えることができる。
このため、本当に緊急の連絡のみを着信させ、他の不必要な着信を排除することができ、着信者の使用状況に応じた適切な着信を提供することができる。
【００３４】
［第二実施形態］
次に、本発明の第二実施形態に係る交換機装置について、図４を参照して説明する。
図４は、本第二実施形態に係る交換機装置の非呼番号メモリ部１４−２に記憶されたデータ例を示したものである。
本第二実施形態は、非呼番号メモリ部１４−２に、非呼番号に対応させて他の情報を含ませた点で上記第一実施形態とは異なる。すなわち、非呼番号メモリ部１４−２は、各非呼番号により特定される着信者側端末３０への着信拒否を発信者側端末２０ごとに指定する一又は二以上の発信者側番号を非呼番号に対応させて記憶し、さらに、各一又は二以上の非呼番号ごとに対応させてその非呼番号に関するサービス（優先度選択による着信サービス）の開始又は停止を設定した開始／停止情報も記憶する。これにより、個々の発信者側端末２０ごとに、優先度選択による発信者側端末２０と着信者側端末３０との接続制御を行うか否かを使い分けることができるとともに、一旦登録された発信者側番号等の設定情報をリセットすることなく設定状態を切り替えることを可能としている。
なお、その他の点については、上記第一実施形態と同様であるため、第一実施形態の説明において用いた図面も適宜参照しながら、本第二実施形態の交換機装置１０について説明する。
【００３５】
図４は、本第一実施形態の交換機装置の非呼番号メモリ部１４−２に記憶されたデータ例を示したものである。
図４の例によれば、非呼番号メモリ部１４−２には、着信を拒否させる着信者側端末３０として二つの非呼番号１及び非呼番号２が登録されている。
また、非呼番号１に対応させた情報として、優先着信サービス開始（開示／停止情報）、登録数５、発信者側番号Ａ，Ｂ，・・・，Ｅが登録されている。同様に、非呼番号２に対応させた情報として、優先着信サービス停止（開示／停止情報）、登録数４、発信者側番号Ｆ，Ｇ，・・・，Ｉが登録されている。
なお、「登録数」は、発信者側番号の登録数を示しており、この登録数情報を確認することで、例えば、データ登録時に最大登録数オーバーチェックを可能としたり、発信者側番号チェック時の最大検索数として使用することができ、各種処理の利便性を向上させている。
【００３６】
また、この非呼番号メモリ部１４−２に記憶されている一又は二以上の非呼番号をはじめとし、開始／停止情報，発信者側番号情報は、データ設定部１４−１により着信者側端末３０からの所定操作に応じて登録が可能とされている。
【００３７】
非呼番号メモリ部１４−２は、非呼番号により特定される一又は二以上の着信者側端末３０への着信拒否を発信者側端末２０ごとに指定する一又は二以上の発信者側番号を非呼番号に対応させて記憶する。
また、非呼番号メモリ部１４−２は、この非呼番号ごとに対応させて記憶された発信者番号の登録数情報をも記憶する。この登録情報を記憶させておくことにより、発信者番号の登録時に最大登録数オーバーチェックが可能となり、又、発信番号チェック時を最大検索数に設定することが可能となり、各種処理動作の利便性を向上させることができる。
【００３８】
さらに、非呼番号メモリ部１４−２は、各一又は二以上の非呼番号ごとに対応させてその非呼番号に関するサービスの開始又は停止を設定した開始／停止情報を記憶する。
なお、本第二実施形態における非呼番号メモリ部１４−２は、発信者側番号と、開始／停止情報とを併せて記憶するものとして説明をしているが、これに限るものではなく、いずれか一方を記憶するものであっても良い。
【００３９】
呼番号判断部１４−３は、発信者側端末装置２０から接続要求のあった呼番号が非呼番号メモリ部１４−２に記憶されている一又は二以上の非呼番号に含まれると判断した場合に、この非呼番号に対応する一又は二以上の発信者側番号に接続要求のあった発信者側端末の発信者側番号が含まれるか否かを判断する。また、呼番号判断部１４−３は、発信者側端末装置２０から接続要求のあった呼番号が非呼番号メモリ部１４−２に記憶されている一又は二以上の非呼番号に含まれると判断した場合に、この非呼番号に対応する開始／停止情報がサービス開始状態であるか否かを判断する。
【００４０】
通知部１４−４は、非呼番号に対応する一又は二以上の発信者側番号に接続要求のあった発信者側端末２０の発信者側番号が含まれると呼番号判断部１４−３により判断され、且つ、非呼番号に対応する開始／停止情報がサービス開始状態であると判断された場合に、発信者側端末２０に所定の指示情報を通知する。
【００４１】
次に、本第二実施形態に係る交換機装置の動作について、図５を参照しながら説明する。
図５は、本第二実施形態に係る交換機装置の動作を示したフローチャートである。
図５において、ステップＳ５０１〜５０３は上記第一実施形態のステップＳ３０１〜３０３と共通し、ステップＳ５０６〜５１０は上記第一実施形態のステップＳ３０４〜３０８と共通するため、その説明は省略する。
ステップＳ５０３で、呼番号が非呼番号メモリ部１４−２に記憶されている非呼番号に含まれると判断した場合には、呼番号判断部１４−３は、この非呼番号に対応する一又は二以上の発信者側番号に接続要求のあった発信者側端末の発信者側番号が含まれるか否かを判断する（ステップＳ５０４）。
続いて、ステップＳ５０４で、発信者側端末装置２０から接続要求のあった呼番号が非呼番号メモリ部１４−２に記憶されている一又は二以上の非呼番号に含まれると判断した場合に、呼番号判断部１４−３はこの非呼番号に対応する開始／停止情報がサービス開始状態であるか否かを判断する（ステップＳ５０５）。
【００４２】
そして、ステップＳ５０５における判断の結果、非呼番号に対応する開始／停止情報がサービス開始状態であると判断された場合には、通知部１４−４は音声案内を発信者側端末２０へ通知する（ステップＳ５０６）。
また、ステップＳ５０４で、発信者側端末装置２０から接続要求のあった呼番号が非呼番号メモリ部１４−２に記憶されている一又は二以上の非呼番号に含まれないと判断した場合、及びステップＳ５０５で、非呼番号に対応する開始／停止情報がサービス開始状態でないと判断された場合には、発信者側端末２０からの着信を所定の無応答時の接続動作により、例えば、着信拒否，着信転送，用件録音等を行う（ステップＳ５０９）。
【００４３】
以上のように、本第二実施形態に係る交換機装置によれば、非呼番号メモリ部１４−２に、着信者側端末３０への着信拒否を発信者側端末２０ごとに指定する一又は二以上の発信者側番号を非呼番号に対応させて記憶させているため、個々の発信者側端末２０ごとに、優先度選択による発信者側端末２０と着信者側端末３０との接続制御を行うか否かを使い分けることができる。
また、非呼番号メモリ部１４−２に、各一又は二以上の非呼番号ごとに対応させてその非呼番号に関するサービスの開始又は停止を設定した開始／停止情報をさらに記憶させた場合には、非呼番号により特定される着信者側端末３０の着信拒否状態の切り替えを開始／停止情報の設定によって簡易に行うことができる。このため、非呼番号メモリ部１４−２に一旦登録された発信者側番号等の設定情報をリセットすることなく設定状態を切り替えることができ、また、再度設定を元の状態に戻したい場合などには開始／停止情報の切り替えのみによって復帰させることができるため利便性をさらに向上させることができる。
【００４４】
以上、本発明の交換機装置について、好ましい実施形態を示して説明したが、本発明に係る交換機装置は、上述した実施形態にのみ限定されるものではなく、本発明の範囲で種々の変更実施が可能であることは言うまでもない。
例えば、上記実施形態においては、いずれも着信側端末３０は、インターフェースとしてのライン回路部１３を介して接続される固定電話を想定して説明をしていたが、これに限るものではなく、このライン回路が基地局と接続させている構成とすれば、着信者側端末３０としての携帯電話にも本発明を適用することができる。
【００４５】
また、上記第一及び第二実施形態に係る交換機装置は、制御プログラムに制御される交換機装置により実行することができる。交換機装置の制御プログラムは、例えば、記録媒体により提供される。記録媒体としては、例えば、磁気ディスク、光ディスク、半導体メモリ、その他交換機装置で読み取り可能な任意の手段を使用することができる。
また、記録媒体に記録された交換機装置の制御プログラムは、記録媒体を直接交換機装置に装着して当該交換機装置に読み込ませることができ、また、通信回線を介して交換機装置に読み込ませるようにしても良い。
【産業上の利用可能性】
【００４６】
着信者側端末の使用状況に応じて優先度着信を設定することにより、発信側端末から着信者側端末への接続要求を適切に制御する交換機装置に好適に利用することができる。
【図面の簡単な説明】
【００４７】
【図１】本発明の第一実施形態に係る交換機装置の全体構成図である。
【図２】本発明の第一実施形態に係る交換機装置の非呼番号メモリ部に記憶されたデータ例を示したものである。
【図３】本発明の第一実施形態に係る交換機装置の動作を示したフローチャートである。
【図４】本発明の第二実施形態に係る交換機装置の非呼番号メモリ部に記憶されたデータ例を示したものである。
【図５】本発明の第二実施形態に係る交換機装置の動作を示したフローチャートである。
【符号の説明】
【００４８】
１０  交換機装置
１１  トランク回路部
１２  スイッチ部
１３  ライン回路部
１４  制御手段
１４−１  データ設定部（データ設定手段）
１４−２  非呼番号メモリ部（記憶手段）
１４−３  呼番号判断部（呼番号判断手段）
１４−４  通知部（通知手段）
１４−５  接続制御部（接続制御手段）
２０  発信者側端末
３０  着信者側端末
１００  公衆回線網
【図１】
2005269119.tif 000003
【図２】
2005269119.tif 000004
【図３】
2005269119.tif 000005
【図４】
2005269119.tif 000006
【図５】
2005269119.tif 000007